(57)【要約】【課題】毛髪部材を自毛に増毛させる方法において、膨潤によって増毛部材の取れることがなく、かつ自毛の成長に対して増毛部材を根元に容易に戻すことのできる、自然な外見を呈する増毛法を提供する。【解決手段】自毛の根元に増毛部材を結び付け、その上に自毛に引き解けるようにした結び目を設け、その結び目が引き解けないように増毛部材を含んで締結する。【選択図】図５
2006063457.tif 000002
【特許請求の範囲】
【請求項１】
自毛の根元に増毛部材を結び付け、
その上に前記自毛に引き解けるようにした結び目を設け、
その結び目が引き解けないように前記増毛部材を含んで締結したことを特徴とする増毛法。
【請求項２】
前記自毛の結び目に前記増毛部材を含んで締結する際に、その結び目のループに該増毛部材を通した後、前記自毛を引き該ループを締めて前記増毛部材を締結することを特徴とする請求項１に記載の増毛法。
【請求項３】
請求項１に記載の増毛法において、前記自毛が成長すると、
前記増毛部材を前記自毛の結び目から開放してその結び目を引き解き、
前記自毛にその根元へ移動した前記増毛部材の上で新たな引き解ける結び目を作り、
その結び目に前記増毛部材を含んで締結することを特徴とする増毛法。
【請求項４】
前記増毛部材を前記自毛の結び目から解放するとき、前記増毛部材は前記自毛に結びつけたまま移動して開放することを特徴とする請求項３の増毛法。
【請求項５】
前記自毛の結び目に前記増毛部材を含ませる際、該増毛部材の両方を含ませて締結することを特徴とする請求項１から請求項４に記載の増毛法。
【請求項６】
前記自毛の結び目に前記増毛部材を含ませる際、該増毛部材の一方のみを含ませて締結することを特徴とする請求項１から請求項４に記載の増毛法。
【請求項７】
前記増毛部材の本数が増加可能であることを特徴とする請求項１から請求項６に記載の増毛法。
【発明の詳細な説明】
【技術分野】
【０００１】
本発明は増毛法、特に、自毛に結び付けて増毛した毛髪部材をその結び目ごと自毛の根元に移動する増毛法に関する。
【背景技術】
【０００２】
従来、カツラや頭皮への植毛と異なり、自毛に増毛部材を足して増毛する方法では増毛部材を自毛の根元に固定することによって髪のボリュームを増加している。その主要な方法としては、自毛に増毛部材を接着剤で接着固定して増加するタイプの増毛法がある。
しかしこの方法では、処理後数ヶ月経過すると自毛が成長し伸びて、その根元に固定されていた増毛部材も地肌から離れてしまい、見た目も不自然な様子を呈したり、また整髪時に接着部で引っかかって櫛通りが悪くなったりまたは切れやすくなったりするという問題があった。
【０００３】
そのため、伸びた自毛からさらに増毛部材を根元の地肌近くに戻す増毛法が開発されている。その方法の一つは、図１８に示すように、自毛１０２の地肌１０３に近い部分に結び目１０２ａを設け、当該結び目と地肌との間で自毛に増毛用毛髪１０１を結び付けて、増毛用毛髪１０１が自毛１０２の結び目１０２ａより先に移動しないようにし、さらに自毛が成長して伸びた場合には、増毛用毛髪１０１の結び目部分１０１ａをそのまま地肌近くへ移動させ、その上部に再度自毛に新しい結び目１０２ａを作って移動を防止するものである。（例えば、特許文献１参照）
【特許文献１】特公平７−９６７２２号
【０００４】
しかし、この増毛法では、自毛１０２に結び目１０２ａを作って自毛に結び付けた増毛部材１０１をそれより先に移動しないようにしているため、増毛部材１０１の結び目１０１ａをうまく締めていなかったり水分などにより膨潤したりすると、増毛部材１０１が自毛１０２の結び目１０２ａを飛び越えて取れてしまうという問題があった。
【０００５】
また、自毛１０２の結び目１０２ａが解けないように固く結ぶことは、この従来技術において増毛部材を取れなくするための必須の条件であり、したがってこの結び目を解きほぐすことは技術的に難かしく、また考慮することもないものである。
しかし伸びた自毛１０２の増毛部材１０１を根元に戻す場合、自毛の結び目１０２ａ0はそのままで増毛部材１０１の結び目１０１ａを地肌１０３の近くへ移動させた後、もう一度自毛１０１の根元近くに移動防止用の新しい結び目１０２ａ1を作るので、自毛１０２が成長して増毛部材１０１を根元に戻すたびに次の新しい結び目１０２ａ2を作り、自毛の毛先には数珠のように不要になった結び目１０２ａ0，１０２ａ1が点々と連なり残ってしまう（図１８参照）。特に前髪の場合、毛髪１０２にいくつもの不自然な結び目１０２ａ0，１０２ａ1があると蟻の行列のように目立ったり、その結び目１０２ａ0，１０２ａ1の点ごとに毛が折れたりして、見る者に違和感を持たせてしまう。またその結び目で毛が絡んだり切れやすくなったりして問題となることも多かった。
【発明の開示】
【発明が解決しようとする課題】
【０００６】
本発明は、上記の問題を鑑みて、自毛の毛先に結び目が残ることなく増毛部材をその結び目ごと根元に戻せる、取付けの確実でかつ作業の容易な増毛方法を提供することを目的とする。すなわち、水に濡れて膨潤しても増毛部材が自毛から抜け出すことがなく、自毛が伸びても増毛部材の結び目ごと根元に戻すことができて自毛の毛先に結び目が残ることのない増毛技術を提供するものである。
【課題を解決するための手段】
【０００７】
上記課題を解決するため、本発明の増毛法は、自毛の根元に増毛部材を結び付けて、その増毛部材を結び付けた直ぐ上で自毛に引き解けるようにした結び目を設け、その結び目が引き解けないように増毛部材を含んで締結することを特徴とする。
この方法により、増毛処理時、増毛部材を自毛の根元に結び付けた後、自毛に設けた結び目にこの増毛部材を加えて締結させる。
したがって、処理された増毛部材は自毛の結び目に締結されているため、確実に取り付けられていて、洗髪時など膨潤によって自毛から抜け出すことはない。
【０００８】
また、数ヶ月後自毛が伸びて増毛部材との締結部が頭皮から浮き上がって離れた時には、増毛部材はその結び目ごと自毛上を移動させ、自毛の結び目との締結から外し、上記の増毛処理時と同様に、自毛の根元で自毛に新たな引き解けるように結び目を作り増毛部材を加えて締結させる。その際、自毛の前回締結した結び目は増毛部材が外れることによりその引き解ける結び方により自毛を引いて容易に解除される。
従って、時間が経過して自毛が伸びても、増毛部材をその結び目に自毛を通したまま根元へ移動させて自毛の結び目から開放し、自毛の新たな結び目に加えて締結し、かつ自毛を引いて不要になった結び目を引き解くだけの処理により、無用な結び目の残ることのない再処理を容易に行うことができるものである。
【発明の効果】
【０００９】
本発明では、膨潤などによって自毛の結び目から外れることのない増毛部材の確実な固定がなされ、さらに自毛が伸びた後の再処理では自毛に無用な結び目を残すことがないため、自然な外見が得られる。また整髪時に、頭髪から離れた不要の結び目は解消されて引っかかることもないため、櫛通りがよくて毛切れもない、気持ちの良い整髪が行えるものである。
また、増毛部材を自毛に結び付け、さらに自毛の結び目に増毛部材を加えて締結することから、２段階の締め付けで締結度が増すため、増毛部材自体の結びは簡単なものでもよく、自毛上のスライド移動が楽で、見た目も目立たないもの、例えば固結びなどの結び方を適用することもできる。
場合によっては、逆に、増毛部材の結び目をさらに強固なもの、例えば結び目を二重にしたダブルノットなどの結び方を適用することもまた可能である。
さらに、自毛の結び方も、上記に限定されるものではなく、自毛を引いて解けるような結び方であればよい。
【発明を実施するための最良の形態】
【００１０】
以下に添付の図面を参照して、本発明による実施例を説明する。ただし、これらの実施例は本発明をさらによく理解するために開示されるものであって、本願の権利範囲がこれらの実施例に限定されるものではない。
【実施例１】
【００１１】
本発明の第１実施例として、増毛部材１に、ロープワークなどで「ひばり結び」と称される結び方（以下ひばり結びと称す）による結び目１ａとなるように屈曲ループ１ｂを予め施した斜視図を図１に示す。すなわち、この例の結び目１ａでは、図に示すように、増毛材１の中央部で二つに折った折り曲げ部内に増毛材の先端部を通してループ１ｂを形成している。
そして、図２に示すように、図１の増毛部材の結び目１ａのループ１ｂに自毛２を通し、ループ１ｂを頭皮３近くの根元まで移動した後、ループ１ｂを締めて増毛部材１を自毛２に結節し留めて、締結する。この増毛部材１は結節後もループ１ｂに自毛２を通したまま自毛上を移動可能である。
当技術分野では、増毛部材は折り曲げた状態で本数を数えるため、この状態で2本の増毛部材取付けとなる。
【００１２】
次に、図３に示すように、増毛部材１を結節した自毛２の根元近くで増毛部材の結び目１ａの上に、調整器具例えば超極小タッピなどを使用して自毛２に輪２ｃを作り、その輪２ｃに自毛２の途中部分をくぐらせて、ロープワークなどで「引きとけ結び」と称される結節方法(以下引きとけ結びと称す)による結び目２ａのループ２ｂを作り、輪２ｃを引きとけ結びの結節部として根元近くの増毛部材の結び目の上で固く結ぶ。
【００１３】
さらに、図４に示すように、先に結節した増毛部材１の先端を二本とも自毛２の引きとけ結び２ａのループ２ｂに通し、自毛２の根元で増毛部材１の結び目１ａと自毛２の結び目２ａが緊密になるよう増毛部材１を通し終えてから、図５のように、自毛２を引きループ２ｂを締めて結び目２ａを固く結節し、増毛部材１をそのループに通した状態で締結する。なお自毛２の引きとけ結び２ａはそのループ２ｂに増毛部材１が貫通して、いわば閂のような作用を為すため、自毛２を引いてもループ２ｂの引きとけはできず、ループを締めて固い結節が可能となる。
【００１４】
こうして増毛部材と自毛の二段階にわたる締結作業が実施され、増毛部材の取付け処理が完了する。
この取付けにより、洗髪など髪の膨潤した時でも、自毛２の結び目２ａに増毛部材１が加えられて締結されているため確実な把持がなされ、従来のように自毛の結び目を越えて増毛部材が取れるような問題の生じることはない。
【００１５】
そして、上記処理後ある期間経過すると、自毛２が伸びて、図６に示すように、自毛２の結び目２ａのループ２ｂに締結されて根元に留められていた増毛部材１が頭皮３から段々と浮いて離れてくる。
見た目などから対応処置が必要になると、増毛部材を根元に戻す再処理を行う。
【００１６】
この再処理では、図７に示すように、まず増毛部材１を、自毛２をループ１ｂに通したまま移動可能な結び目１ａごと自毛２上でスライドさせて、その結び目２ａのループ２ｂから抜きながら根元の方向に移動する。
そして、自毛ループ２ｂから増毛部材１の毛先を引き抜いて、図８に示すように結び目２ａから解放し、さらに、図９に示すように自毛２を引いて結び目２ａを解く。
【００１７】
最初の処理と同様に、増毛部材１は頭皮３の自毛２の根元に結び目１ａを移動させ結び目１ａを締めて再度根元に締結する。また、自毛２に新しい引きとめ結び２ａ’によるループ２ｂ’を作り、結び目２ａ’は増毛材１の移動して締結された結び目１ａのすぐ上に結節部２ｃ’を締めて固く締結し、ループ２ｂ’に増毛部材１をそれぞれの結び目が緊密になるように毛先から二本とも通し終えた後で、自毛２を引きループ２ｂ’を締めて結び目２ａ’に増毛部材１を加えて締結する。
これによって、図１０のように、改めて増毛部材１と自毛２による2段階の締結作業が行なわれて、増毛の再処理が完了する。
【００１８】
この再処理により、頭皮３から浮き上がっていた増毛部材１が根元に戻されてかつ自毛２の不要な前回の結び目２ａも解消され、従来の処理方法では残されていた蟻の行列のような結び目の連なりもなく、見た目の良い増毛処理効果が得られる。またその結び目２ａの解消も、増毛部材１を結び目２ａのループ２ｂから抜いて、ただ自毛２を引くだけで結びが解けるので、手間がかからず、容易に行えるものである。
また最初に増毛を行った増毛部材は数ヶ月後の自毛が伸びた段階の再処理にそのまま再度使用可能なため経済的であり、さらに今付いている増毛部材のループをそのまま自毛上で使用できるので、セットする手間が要らず、新たに処理を行う場合と比べて作業も迅速で容易になる。
【実施例２】
【００１９】
図１１に、本発明の第１実施例において適用された図１のひばり結びの代りに、第２実施例で使用される増毛部材の予め備えられる結び目を示す。この実施例の増毛部材１１に予め設けておく結び目は、第１実施例のひばり結び１ａとなるループ１ｂに代って、普通の輪結びまたは止め結びとされる結び方を適用した結び目１１ａでループ１１ｂとしている点が異なる。
【００２０】
図から理解されるように、この結び方による結び目１１ａでは、増毛部材１１の中央部で輪にし毛先を輪にくぐらせてループ１１ｂを形成する。自毛２に取り付けるにはこのループ１１ｂに自毛２を通してその根元まで移動させ、ループ１１ｂを締めて結び目１１ａを根元に締結する。なお増毛部材１１はループ１１ｂに自毛２を通したまま自毛上を移動可能である。
次に、第１実施例と同様に、自毛２の根元近くに増毛部材の結び目１１ａの上で引きとけ結びを適用して結び目２ａを作ってその結節部２ｃで固く結ぶ。そして、そのループ２ｂに増毛部材１１の先端を通し、増毛部材１１の結び目１１ａを自毛２の結び目２ａと緊密になるよう通し終わった後で、ループ２ｂを締めて増毛部材１１を結び目２ａに締結する。
【００２１】
この二重の締結により、増毛部材１１は膨潤等によって自毛２から飛び越えて抜け落ちることはなく、第１実施例と同様な効果が得られる。
自毛が伸びた後の増毛部材を根元に戻す再処理は、第１実施例と実質的に同様の手順であるため省略する。
この実施例は簡単な結び目を適用する際に使用され、自毛による増毛部材の締結が自毛への固定を強化している。そして、自毛の伸びた後の再処理でも第１実施例と同様に、容易に不要な結び目２ａをなくすことのできる等の作用効果の得られるものである。
【実施例３】
【００２２】
図１２に本発明の第３実施例で使用される増毛部材の予め備えられる結び目を示す。この実施例では、増毛部材２１に予め設けておく結び目において、第１実施例のひばり結び１ａとなるループ１ｂの代りに、ひばり結びを二重にしたダブルノットの結び方（以後二重のひばり結びと称す）を適用する結び目２１ａとなるループ２１ｂとしている点が異なる。
【００２３】
この二重のひばり結び２１ａは、図から理解されるように、第１実施例と同様のひばり結び１ａ’を作った後、そのループ１ｂ’にさらに増毛部材２１の先端を通してループ２１ｂを作ったもので、このループ２１ｂに自毛２を通して根元に移動し、ループ２１ｂを締めて結び目２１ａを根元で締結する。なお増毛部材２１はループ２１ｂに自毛２を通したままで自毛上を移動可能である。
そうして、第1実施例と同様に、自毛２に引きとけ結び２ａを作り、そのループ２ｂに増毛部材２１の先端を通して、増毛部材２１を自毛の結び目２ａと増毛部材の結び目２１ａが根元で緊密に接するように通し終わった後で、ループ２ｂを締めて増毛部材２１を結び目２ａに締結する。
【００２４】
この二重の締結により、増毛部材２１は膨潤等により抜け出すことはなく、第１実施例と同様な効果が得られる。
自毛が伸びた際の増毛部材を戻す再処理は第１実施例と同様であるため、ここでは省略する。
この実施例では増毛部材に二重のひばり結びを適用したため、第１実施例よりも自毛に固く締結されており、強固に締結することが必要な場合にその効果がより一層発揮される。そして、自毛の伸びた後の再処理でも第１実施例と同様に、容易に不要な結び目２ａをなくすことのできる等の作用効果の得られるものである。
【実施例４】
【００２５】
図１３に本発明による第４実施例を示す。この実施例では、増毛部材３１に予め備える結び目において、第１実施例のひばり結び１ａとなるループ１ｂの代りに、同実施例の自毛２に適用された引きとけ結びによる結び目３１ａのループ３１ｂを使用している点が異なる。
【００２６】
この引きとけ結び３１ａは、第１実施例の自毛に備えるものと同じで、そのループ３１ｂに自毛２を通して根元に移動し、ループ３１ｂを締めて結び目３１ａを自毛２の根元に締結する。なお増毛部材３１はループ３１ａに自毛２を通したままで自毛上を移動可能である。
そして、第1実施例と同様に、自毛２に引きとけ結び２ａを作り、そのループ２ｂに増毛部材３１の先端を通し、自毛の結び目２ａと増毛部材３１の結び目３１ａが根元で緊密に接するように通し終わった後で、ループ２ｂを締めて増毛部材３１を自毛の結び目２ａに締結する。
【００２７】
その後の自毛が伸びた際の増毛部材を戻す再処理は第１実施例と同様であるため、ここでは省略する。
増毛部材３１にこの引きとけ結び３１ａを使用することにより、作業をより一層容易なものとできる。そして、自毛の伸びた際の再処理でも第１実施例と同様に、容易に不要な結び目２ａをなくすことのできる等の作用効果の得られるものである。
【００２８】
本発明の各実施例の変更例として、例えば第1実施例の図４、図５に対応する図１４、図１５に示すように、増毛部材１の一方の先端１ｄのみを自毛２に設けられた引きとけ結び２ａのループ２ｂに通してその増毛部材片を通し終え、他の先端１ｅはループ２ｂを通さないでそのままフリーの状態とし、図１５のように、第１実施例と同様に自毛を引きその結び目２ａを固く結節し、増毛部材１を片方のみループに通した状態で締結する。
これにより、第１実施例と同様な効果が得られ、さらに自毛２の結び目２ａをより小さくすることが可能となる。
また図１６に示すように自毛２が伸びて再処理を行う際にも、図１７に示すようにフリー状態とされた先端１ｅの増毛部材片を地肌３の方に引いて、浮いた結び目２ａから増毛部材１を引き離して移動させ、容易に解放を行うことができる。
本変更例の他の構成及び処理は第１実施例と同様であるため、同一部材は同一符号を適用し、またその説明は削除する。
【００２９】
また、第２実施例から第４実施例の増毛部材に予め備えられた結び目を適用した例においても、上記変更例のように、その増毛部材の一方のみを自毛のループに通して、他方をフリーの状態のままで処理を行うことは勿論可能である。
【００３０】
なお、これらの実施例では増毛部材には予め結び目を備える方法を示したが、処理を行う際に増毛部材にこれら結び目を設けて自毛にセットしてもよいことは当然理解されるものである。また説明上、各実施例及び変更例で増毛部材は折り曲げた形状で２本とする増毛部材の処理のみ行うよう記載しているが、これらが４本、6本などの複数本であっても本願の適用は可能である。
【図面の簡単な説明】
【００３１】
【図１】本発明による第１実施例で増毛部材を自毛に取り付ける増毛法において、増毛部材１にひばり結びとなる結び目１ａの屈曲ループ１ｂを予め施した斜視図。
【図２】本発明の第１実施例において、図１のループ１ｂに自毛２を通して自毛の根元まで移動し増毛部材１を自毛に結び付けて結節する斜視図。
【図３】本発明の第１実施例において、図２の増毛部材１の結び目１ａの上に自毛２上で引きとけ結びとなる結び目２ａを施した斜視図。
【図４】本発明の第１実施例において、図３の自毛２の結び目２ａのループ２ｂに、増毛部材１の結び目１ａと自毛２の結び目２ａが緊密になるよう増毛部材１をその二本の先端１ｄ，１ｅから通した斜視図。
【図５】本発明の第１実施例において、図４の自毛２を引いてループ２ｂを締めて結び目２ａが結節され、増毛部材１を加えて締結する増毛部材の取付け処理が完了した斜視図。
【００３２】
【図６】本発明の第１実施例において、図５の処理完了後ある期間経過し、自毛２が伸びてその結び目２ａに締結された増毛部材１が頭皮３から離れて浮いている状態を示す。
【図７】本発明の第１実施例の増毛部材を自毛の根元に戻す再処理において、図６の増毛部材１をそのまま結び目１ａごと自毛２上でスライドさせている斜視図。
【図８】本発明の第１実施例の再処理において、図７の自毛ループ２ｂから増毛部材１の毛先まで抜いて結び目２ａから解放した斜視図。
【図９】本発明の第１実施例の再処理において、図８の自毛２を引いて結び目２ａを解いた斜視図。
【図１０】本発明の第１実施例の再処理において、再処理の完了した状態を示す斜視図。
【００３３】
【図１１】本発明による増毛法の第２実施例で増毛部材を自毛に取り付ける処理において、使用される増毛部材１１に予め備えられる結び目１１ａを示す斜視図。
【図１２】本発明による増毛法の第３実施例で増毛部材を自毛に取り付ける処理において、使用される増毛部材２１に予め備えられる結び目２１ａを示す斜視図。
【図１３】本発明による増毛法の第４実施例で増毛部材を自毛に取り付ける処理において、使用される増毛部材３１に予め備えられる結び目３１ａを示す斜視図。
【００３４】
【図１４】本発明による第１実施例の変更例において、第１実施例の図４に対応して、図３の自毛２の結び目２ａのループ２ｂに、増毛部材１の結び目１ａと自毛２の結び目２ａが緊密になるよう増毛部材１をその一方の先端１ｄを通し、他方の先端１ｅはフリーの状態のままにした斜視図。
【図１５】図１４の本発明の変更例において、第１実施例の図５に対応して、図１４の自毛２を引いてループ２ｂを締めて結び目２ａが結節され、増毛部材１の一方のみを加えて締結する増毛部材の取付け処理が完了した斜視図。
【図１６】図１４の本発明の変更例において、第１実施例の図６に対応して、図１５の処理完了後ある期間経過し、自毛２が伸びてその結び目２ａに締結された増毛部材１が頭皮３から離れて浮いている状態を示す。
【図１７】図１４の本発明の変更例において、第１実施例の図７に対応して、増毛部材を自毛の根元に戻す再処理で、図１６の増毛部材１のフリーの状態の増毛部材片を自毛２に沿って引いてそのまま結び目１ａごと自毛２上にスライドさせている斜視図。
【図１８】従来の増毛法を示した概略図。
【符号の説明】
【００３５】
１  増毛部材
１ａ、１ａ’  ひばり結び
１ｂ、１ｂ’  ひばり結びの屈曲ループ
１ｃ  ひばり結びの結節部
１ｄ  増毛部材１の一方の先端
１ｅ  増毛部材１の他方の先端
２  自毛
２ａ，２ａ’  引きとけ結び
２ｂ，２ｂ’  引きとけ結び２ａ，２ａ’のループ
２ｃ，２ｃ’  引きとけ結び２ａ，２ａ’の結節部
３  頭皮
１１  増毛部材
１１ａ  止め結び
１１ｂ  止め結び１１ａのループ
２１  増毛部材
２１ａ  二重のひばり結び
２１ｂ  二重のひばり結び２１ａのループ
３１  増毛部材
３１ａ  引きとけ結び
３１ｂ  引きとけ結び３１ａのループ
１０１  増毛用毛髪
１０１ａ  結び目
１０２  自毛
１０２ａ  結び目
１０３  地肌
【図１】
2006063457.tif 000003
【図２】
2006063457.tif 000004
【図３】
2006063457.tif 000005
【図４】
2006063457.tif 000006
【図５】
2006063457.tif 000007
【図６】
2006063457.tif 000008
【図７】
2006063457.tif 000009
【図８】
2006063457.tif 000010
【図９】
2006063457.tif 000011
【図１０】
2006063457.tif 000012
【図１１】
2006063457.tif 000013
【図１２】
2006063457.tif 000014
【図１３】
2006063457.tif 000015
【図１４】
2006063457.tif 000016
【図１５】
2006063457.tif 000017
【図１６】
2006063457.tif 000018
【図１７】
2006063457.tif 000019
【図１８】
2006063457.tif 000020